(57)【要約】  【課題】  真贋判定の処理を行った紙幣を安全かつ効率的に回収することができる装置を得る。  【解決手段】  少なくとも一端部に開口が形成された中空形状の本体３１と、本体３１の開口に対して開閉可能に取り付けられた扉３２とから構成される筐体と、筐体内に配置され挿入された紙幣の真贋を判別する紙幣判別装置３４と、筐体に対して着脱可能に取り付けられ、紙幣判別装置３４により判別処理された紙幣を収納するための収納カセット３５とを有し、収納カセット３５は、その内部に収納されている紙幣を取り出すためのカセット扉３５２を有しており、筐体の扉３２を開けた際に、カセット３５を筐体に装着したままの状態でカセット扉３５２を開放することにより内部に収納されている紙幣が取り出せるようにした。  【選択図】        図１
2004171545.tif 000002
【特許請求の範囲】
【請求項１】
少なくとも一端部に開口が形成された中空形状の本体と、前記本体の開口に対して開閉可能に取り付けられた扉とから構成される筐体と、
上記筐体内に配置され、挿入された紙幣の真贋を判別する紙幣判別装置と、
上記筐体に対して着脱可能に取り付けられ、上記紙幣判別装置により判別処理された紙幣を収納するための収納カセットと、を有し、
上記収納カセットは、その内部に収納されている紙幣を取り出すためのカセット扉を有しており、上記筐体の扉を開けた際に上記カセット扉が露出し、この露出したカセット扉を上記カセットを筐体に装着したままの状態で開放することにより内部に収納されている紙幣を取り出せるように構成されている、
ことを特徴とする紙幣処理装置。
【請求項２】
少なくとも一端部に開口が形成された中空形状の本体と、前記本体の開口に対して開閉可能に取り付けられた扉とから構成される筐体と、
上記筐体内に配置され、挿入された紙幣の真贋を判別する紙幣判別装置と、
上記筐体に対して着脱可能に取り付けられ、上記紙幣判別装置により判別処理された紙幣を収納するための収納カセットと、を有し、
上記収納カセットの上部には開口が形成されており、上記筐体の扉を開けた際に上記カセットの開口が露出し、このカセットの開口からカセットの内部に収納されている紙幣を取り出せるように構成されている、
ことを特徴とする紙幣処理装置。
【請求項３】
上記カセットは、所定の係止手段により筐体に対して着脱可能に取り付けられており、
上記筐体の扉を開けた状態で、上記係止手段による係止を解除することにより、内部に紙幣を収納したカセットを本体から取り外すことができる、
請求項１又は２記載の紙幣処理装置。
【請求項４】
上記カセットは、収納されている紙幣が外部から見えないように遮蔽されている、
請求項１〜３のいずれかの項に記載の紙幣処理装置。
【請求項５】
上記紙幣判別装置は、紙幣挿入側に対して上記カセットよりも手前側に配置されている、
請求項１〜４のいずれかの項に記載の紙幣処理装置。
【請求項６】
上記カセットは、紙幣挿入側に対して上記紙幣判別装置よりも手前側に配置されている、
請求項１〜４のいずれかの項に記載の紙幣処理装置。
【請求項７】
上記筐体の扉は、電気的な信号により開錠する電子錠装置が取り付けられており、
上記電子錠装置は、電気的な開錠信号を検知することにより開錠する、
請求項１〜６のいずれかの項に記載の紙幣処理装置。
【請求項８】
上記紙幣処理装置は、遊技場内の遊技台及び／又は遊技台に対して遊技を行うための遊技用媒体を供給する遊技用媒体処理装置の上部に取り付けられている、
請求項１〜７のいずれかの項に記載の紙幣処理装置。
【請求項９】
本体と本体に対して開閉可能に取り付けられた扉とからなる筐体内に着脱可能に取り付けられ、紙幣の真贋を判別する紙幣判別装置により処理された紙幣を収納するためのカセットであって、
上記収納カセットはその上端部に開口が形成されており、上記筐体の扉を開けた際に上記カセットの開口が露出し、このカセットの開口からカセットの内部に収納されている紙幣を取り出せるように構成されている、
ことを特徴とする紙幣処理装置用カセット。
【発明の詳細な説明】
【技術分野】
【０００１】
本発明は、挿入された紙幣の真贋を判別処理して回収する紙幣処理装置であって、特に遊技場内で遊技台ごとに配置されて使用される紙幣処理装置として好適な技術に関する。
【背景技術】
【０００２】
従来から各種自動販売機などでは、紙幣の真贋を判別して取引処理するための紙幣処理装置が使用されている。この紙幣処理装置は、紙幣を取り込んで紙幣の真贋を判別すると共に、判別処理された紙幣をカセットに収納する。そして、紙幣を回収する際は、この紙幣を収納したカセットごと回収することが行われている。
このような従来の装置の一例としては、遊技を行う遊技台の台間に配置した紙幣認識装置を有する紙幣受入装置と、紙幣払い出し装置と、着脱可能なカセット式金庫とを設け、このカセット式金庫で紙幣を回収し、回収したカセットを専用の装置に装着することによりカセット内の紙幣を回収するシステムが既に知られている（例えば、特許文献１）。
【０００３】
【特許文献１】特開２００２−９２７００号公報（第２−７ページ、第２図）
【発明の開示】
【発明が解決しようとする課題】
【０００４】
しかし、従来のカセット式の金庫などは、例えば、遊技場の営業が終了した際に、遊技台ごとに多数配置されている紙幣処理装置から紙幣を回収しようとすると、各カセットを回収し、回収したカセットを一つ一つ開けて紙幣を取り出すという２段階の作業が必要となってしまう。そのため、この２段階の処理が大変煩わしく非効率的であると共に、特に、紙幣処理装置の台数が多ければ多いほど大きな問題となっていた。
【０００５】
また、上述の従来技術のように、カセット内から紙幣を取り出すための専用装置を別途設けることも考えられるが、その専用装置が高価となりコストが高くなるばかりか、専用装置を配置するためのスペースを店舗内などに確保する必要があるといった問題もあった。
【０００６】
一方、カセットを用いずに、紙幣処理装置内にストックしておいた紙幣を、紙幣処理装置内から直接抜き取って回収することも考えられる。
しかし、紙幣処理装置から紙幣を直接抜き取ることは、紙幣の束が外部にさらされることとなるため、顧客がまだ店舗内にいる営業中には防犯上紙幣の回収ができないという問題があった。そのため、店舗の営業中は紙幣処理装置で処理された紙幣を回収して別の必要なところへ資金を回すことができず、回収した資金を効率的に循環させることができないなどの問題があった。
特に、遊技場などで各遊技台個別に配置されている紙幣処理装置では、顧客が紙幣を挿入して遊技台で遊技をしている最中に紙幣処理装置から紙幣を直接抜き取って回収すると、いま遊技をしている顧客が挿入した紙幣を目の前で遊技場店舗側が回収することとなり、防犯上問題となるばかりか、顧客に対して非常に不快感を与えてしまうなどの問題があった。
【０００７】
本発明は、上記課題及び問題点を解決するためになされたものであって、真贋判定の処理を行った紙幣を安全かつ効率的に回収することができ、特に遊技場内の遊技台ごとに配置されて使用される紙幣処理装置として好適な紙幣処理装置及び紙幣処理装置用カセットを提供することを課題とする。
【課題を解決するための手段】
【０００８】
上述の課題を解決するため、本発明の第１の観点にかかる紙幣処理装置は、少なくとも一端部に開口が形成された中空形状の本体と、前記本体の開口に対して開閉可能に取り付けられた扉とから構成される筐体と、上記筐体内に配置され、挿入された紙幣の真贋を判別する紙幣判別装置と、上記筐体に対して着脱可能に取り付けられ、上記紙幣判別装置により判別処理された紙幣を収納するための収納カセットとを有し、上記収納カセットは、その内部に収納されている紙幣を取り出すためのカセット扉を有しており、上記筐体の扉を開けた際に上記カセット扉が露出し、この露出したカセット扉を上記カセットを筐体に装着したままの状態で開放することにより内部に収納されている紙幣を取り出せるように構成されていることを特徴とする。
【０００９】
これにより、カセットを外してカセットごと紙幣を回収することもできるし、またカセットを筐体に装着した状態でカセット扉を開放して直接紙幣を回収することもでき、場合に応じて効率的かつ適切に紙幣の回収を行うことができる。また、カセット扉が露出することで、カセットを筐体に装着した状態で紙幣を回収する際に、カセット扉を開けやすくなり作業効率を向上させることができる。
【００１０】
本発明の第２の観点にかかる紙幣処理装置は、少なくとも一端部に開口が形成された中空形状の本体と、前記本体の開口に対して開閉可能に取り付けられた扉とから構成される筐体と、上記筐体内に配置され、挿入された紙幣の真贋を判別する紙幣判別装置と、上記筐体に対して着脱可能に取り付けられ、上記紙幣判別装置により判別処理された紙幣を収納するための収納カセットとを有し、上記収納カセットの上部には開口が形成されており、上記筐体の扉を開けた際に上記カセットの開口が露出し、このカセットの開口からカセットの内部に収納されている紙幣を取り出せるように構成されていることを特徴とする。
【００１１】
これにより、カセットを外してカセットごと紙幣を回収することもできるし、またカセットを筐体に装着した状態で直接紙幣を回収することもでき、場合に応じて効率的かつ適切に紙幣の回収を行うことができる。
【００１２】
また、上記カセットは、所定の係止手段により筐体に対して着脱可能に取り付けられており、上記筐体の扉を開けた状態で、上記係止手段による係止を解除することにより、内部に紙幣を収納したカセットを本体から取り外すことができるようにしてもよい。
【００１３】
また、上記カセットは、収納されている紙幣が外部から見えないように遮蔽されていてもよい。これにより、カセットごと紙幣を回収する場合に、中の紙幣が外部から見えることがなく、安全に紙幣の回収を行うことができる。
【００１４】
上記紙幣判別装置は、紙幣挿入側に対して上記カセットよりも手前側に配置されていてもよい。これにより、紙幣処理装置が顧客側に配置されることとなり、特別な紙幣の搬送路などを設けなくとも簡単な構成で顧客が利用しやすい装置を提供できる。
【００１５】
また、上記カセットは、紙幣挿入側に対して上記紙幣処理装置よりも手前側に配置されていてもよい。これにより、カセットを取り出したり、或いはカセットから紙幣を取り出す際に、カセットが手前側にくるため効率よく作業を行うことができる。
【００１６】
また、上記筐体の扉は、電気的な信号により開錠する電子錠装置が取り付けられており、上記電子錠装置は、電気的な開錠信号を検知することにより開錠する、これにより、鍵穴を設けなくともよくなり、ピッキング対策とすることができるし、複数の装置が配置されている場合には、電気錠装置を利用して一斉に開錠させることも可能となる。
【００１７】
また、上記紙幣処理装置は、遊技場内の遊技台及び／又は遊技台に対して遊技を行うための遊技用媒体を供給する遊技用媒体処理装置の上部に取り付けられていてもよい。これにより、遊技場などで遊技台毎に設けられている場合であっても、店舗の営業中には顧客の遊技を邪魔することなく、また顧客に対して不快感を与えることなく紙幣を回収できるし、営業終了後は装置から直接紙幣を回収でき、効率よく作業を行うことができる。
【００１８】
本発明の一の観点にかかる紙幣処理装置用カセットは、本体と本体に対して開閉可能に取り付けられた扉とからなる筐体内に着脱可能に取り付けられ、紙幣の真贋を判別する紙幣判別装置により処理された紙幣を収納するためのカセットであって、上記収納カセットはその上端部に開口が形成されており、上記筐体の扉を開けた際に上記カセットの開口が露出し、このカセットの開口からカセットの内部に収納されている紙幣を取り出せるように構成されていることを特徴とする。
【発明の効果】
【００１９】
本発明によれば、真贋判定の処理を行った紙幣を安全かつ効率的に回収することができる。
【発明を実施するための最良の形態】
【００２０】
以下、図面を参照して本発明にかかる紙幣処理装置及び紙幣処理装置用カセットの一実施形態について説明する。
図１に本発明にかかる紙幣処理装置及び紙幣処理装置用カセットを適用した遊技場システムの一例を示す。図１の遊技場システムは、遊技台１と、遊技台１間に配置され、各遊技台１に遊技用媒体としてのパチンコ玉などを供給するサンド（玉貸機）２と、サンド２と電気的に接続され、サンド２が玉貸し処理をする際に顧客から挿入された紙幣の処理を行う紙幣処理装置３から構成されている。
【００２１】
遊技台１は、本実施形態においてはいわゆるパチンコ台であって、サンド２から供給されたパチンコ玉を用いて、所定の遊技を実行することができるように構成されている。
なお、遊技台１はパチンコ台だけでなく、パチンコスロットなどの他の遊技台であってもよい。
【００２２】
サンド２は、紙幣処理装置３から挿入された紙幣に関する情報を含む電気信号を受け付けることにより、顧客に対して挿入された紙幣の金額に応じたパチンコ玉を供給する玉貸し処理を行う玉貸機である。
このサンド２は、遊技台１ごとに個別に配置されており、各遊技台１で遊技を行う顧客ごとに玉貸し処理が行えるように構成されている。
【００２３】
紙幣処理装置３は、本発明にかかる紙幣処理装置を構成する装置である。
紙幣処理装置３は、図１に示すようにサンド２の上部に取り付けられ、顧客が挿入した紙幣の真贋を判別し、判別された紙幣を回収することができる。
この紙幣処理装置３の詳細を図２及び図３に示す。
紙幣処理装置３は、図２及び図３に示すように、本体３１及び扉３２からなる筐体と、この筐体内に配置され顧客が挿入した紙幣を搬送する搬送装置３３と、挿入された紙幣の真贋を判別する紙幣判別装置３４と、紙幣判別装置３４より奥側に配置され、判別処理された紙幣を収納するカセット３５から構成されている。
【００２４】
本体３１は、一端部に開口が形成された中空形状に形成されている。この例では、本体３１は通路側に面した前面に向かって開口を有する中空の箱状に形成されており、ビスや螺子などによりサンド２の上部に取り付けられている。
この本体３１の内部背面側には、図３及び図６に示すように、上記カセット３５を着脱可能に保持するための支持部材３１１が左右及び下の少なくとも３箇所に設けられている。この支持部材３１１は板ハネなどにより構成され、カセット３５を付勢してカセット３５を本体３１内で着脱可能に保持する係止手段を構成するようになっている。なお、この支持部材３１１を取り付ける場所、個数或いはこれを構成する部材は任意であり、カセット３５を着脱可能に支持できるものであれば特に限定されるものではない。
【００２５】
カセット３５は、本体３１に対して着脱可能に設けられ、判別処理された紙幣を収納するものである。
このカセット３５は、図４及び図５に示すように前面側に開口を有する中空箱状のカセット本体３５１と、このカセット本体３５１の開口部に対して蝶番３５３を介して開閉可能に取り付けられたカセット扉３５２から構成されており、収納された紙幣の略全面を外部から見えないように遮蔽された箱状に形成されている。
【００２６】
カセット扉３５２は、図４に示すように、上端部中央に半円形の切欠き部３５２１が形成されている。この切欠き部３５２１は、紙幣を回収する人がこれに指をかけてカセット扉３５２を開閉するためのものである。
また、カセット扉３５２の上端部には、搬送された紙幣を収納するための収納口３５２２が形成されている。この収納口３５２２は、縦横の幅が紙幣の幅よりも広く形成され、紙幣を取り込めるようになっている。
また、図５に示すように、カセット扉３５２の内側上端部には、係合金具３５４が取り付けられている。この係合金具３５４は、本体３５１の開口上端部に取り付けられている係合金具３５５と係合することより、カセット扉３５２が閉じた状態でロックされると共に、カセット扉３５２が人の力により引っ張られることにより係合状態が解除されて、ロックが解除されるように構成されている。なお、この係合金具３５４及び３５５に代えてマグネットの吸着力を利用してカセット扉３５２をロックしてもよい。
【００２７】
またカセット本体３５１の内部には、収納された紙幣を保持するための保持板３５６と、この保持板３５６を付勢するためのバネ３５７が取り付けられている。
この保持板３５６の上端部は、収納口３５２２とは反対側にわずかに湾曲した板状に形成されている。この保持板３５６により、収納口３５２２から取り込まれた紙幣をカセット３５内でバネ３５７の付勢力により開口部側に付勢した状態で保持することができる。なお、カセット３５内で保持するための機構はこれに限定されるものではなく既知の紙幣保持機構を適用できる。
【００２８】
扉３２は、本体３１の開口部に対して図示しない蝶番などにより開閉可能に構成されている。なお、扉３２は、開いたときに本体３１に対して扉３２が９０度よりも小さく、かつ、カセット３５を取り出せるだけの幅が本体３１との間に形成されるように構成されている。これにより扉３２が開く幅を最小限にすると共に、扉３２が遊技をしている顧客にぶつかるなどの邪魔とならないようになっている。
【００２９】
また、本実施形態では、扉３２の前面部分には、図２に示すように扉３２を施錠するための施錠装置３２１が取り付けられている。この施錠装置３２１はホール従業員などが保持する鍵により施錠、開錠がされるように構成されている。
また、扉３２の下端部には、顧客が紙幣を挿入するための紙幣挿入口３２２が形成されている。この紙幣挿入口３２２は、この紙幣処理装置３がサンド２の上部に取り付けられた際に、顧客が紙幣を挿入しやすいように斜め下方に向かって形成されている。
【００３０】
また扉３２の内部には、搬送装置３３が取り付けられている。
搬送装置３３は顧客により紙幣挿入口３２２から挿入された紙幣をカセット３５まで搬送するための搬送系を構成する。この搬送装置３３は、搬送ガイド３３１と、駆動ローラ３３２及び従動ローラ３３３と、これら駆動ローラ３３２及び従動ローラ３３３に掛け渡された搬送ベルト３３４から構成されている。
搬送ガイド３３１は、紙幣を搬送する際のガイドであって、板状に形成され、その下端部が紙幣挿入口３２２に面すると共に、その上端部がカセット３５の収納口３５２２に面するように屈曲されている。
駆動ローラ３３２は、図示しないモータにより回転駆動され、従動ローラ３３３との間に掛け渡された搬送ベルト３３４を回転させることにより、搬送ガイド３３１に従って紙幣を搬送するようになっている。
なお、紙幣挿入口３２２の近傍には、図示しない紙幣検出センサが取り付けられており、図示しない制御機構により、紙幣検出センサが挿入された紙幣を検出することにより駆動ローラ３３２のモータを通電制御して挿入された紙幣を搬送するように構成されている。
【００３１】
また、搬送装置３３の搬送路中には、紙幣判別装置３４が取り付けられている。
紙幣判別装置３４は、搬送中の紙幣の磁気情報を検知したり、紫外線などにより特殊インクによる印刷部分や透かしなどを検知することにより、顧客が挿入した紙幣の真贋を判別する処理を行う。なお、この真贋判別の処理は特に限定されるものではなく既知の技術を適用することができる。
【００３２】
次に、上述の実施形態にかかる紙幣処理装置３において、カセット３５内に収納された紙幣を取り出す際の使い方について図面を参照して説明する。
まず、店舗の営業終了後に、カセット３５を本体３１に装着した状態で紙幣を直接取り出す場合について説明する。
図２に示した扉３２を閉じた状態で、遊技場の従業員などが図示しない鍵により施錠装置３２１を開錠する。これにより扉３２が開放図７に示すような開放可能な状態となる。
そして、図７に示すように扉３２を手前側に引っ張って開放する。これにより、扉に取り付けられている搬送装置３３が扉３２と一緒に移動して、カセット３５のカセット扉３５２が露出する。
この状態で店舗の従業員が、カセット扉３５２の切欠き部３５２１に指を掛けてカセット扉３５２を手前に引っ張ることにより、カセット扉３５２の係合金具３５４が外れて開放され、カセット３５内部に収納されていた紙幣を取り出すことができる。
【００３３】
次に、店舗の営業時間中に、カセット３５ごと回収する場合について説明する。
上述と同様に、図示しない鍵により施錠装置３２１を開錠する。これにより扉３２が開放可能な状態となる。
そして、扉３２を手前側に引っ張って開放することにより、搬送装置３３も扉３２と一緒に移動し、これによりカセット３５が露出する。
この状態で図８に示すように店舗の従業員などが、カセット３５を掴んでカセット３５を本体３１から引き抜くことにより、点線で示すようにカセット３５が支持部材３１１から外れてカセット３５が本体３１から取り外される。
そして、従業員は、引き抜いたカセット３５の代わりに、中身が空のカセット３５を支持部材３１１の付勢力に抗して取り付けることにより、新たなカセット３５を装着して、扉３２を再度閉めて施錠装置３２１に施錠をすることにより引き続き紙幣判別処理を行うことができる。
【００３４】
このように、本実施形態によれば、筐体を構成する本体３１に着脱可能にカセット３５を取り付け、扉３２を開けた際に、カセット３５が本体３１に装着された状態でカセット扉３５２が開放して収納されている紙幣が取り出せるようにしたことから、紙幣を回収する際にカセット３５自体を取り出さなくともその場で紙幣の回収を行うことができるし、また、カセット３５自体は着脱可能であるため、カセット３５ごと本体３１から外して紙幣を回収することもできる。
これにより、例えば、遊技場の営業時間中には、カセット３５ごと紙幣を回収することで紙幣を外部に曝さないようにして回収できるし、また店舗の営業終了後に回収する場合にはその場で扉３２とカセット扉３５２を開けて紙幣を直接回収することができるため、カセット３５を外してまた取り付けるなどの手間を省くことができ、状況に応じて効率よく紙幣の回収を行うことができる。
【００３５】
また、カセット３５は、収納されている紙幣が外部から見えないように箱状にして外部から遮蔽したことから、カセット３５を取り替えるときに紙幣が外部に曝されることがなくなり、店舗の営業中などであっても安全に紙幣を回収することができるし、遊技台個別に紙幣処理装置３が配置されている場合でも、顧客に対して不快感を与えることもなく紙幣を回収することができる。
【００３６】
また、紙幣処理装置３４がカセット３５よりも手前側に配置されていることから、紙幣挿入口３２２を装置の前面の顧客から見やすい位置に配置することができ、挿入口３２２と搬送装置３３との間に特別な搬送路などを設けなくとも簡単に配置することができる。
【００３７】
なお、カセット３５を紙幣処理装置３４よりも手前側に配置するようにしてもよい。
この別の実施形態の構成を図９に示す。図９の例では、本体３１側に搬送装置３３と紙幣判別装置３４とを配置し、扉３２側にカセット３５を配置した例である。なお、上述の実施形態と同一の構成については同一の符号を付して説明を省略する。
【００３８】
このように構成された紙幣処理装置３では、カセット３５を扉３２に装着した状態で紙幣を取り出す場合には、図９に示したようにカセット扉３５２をあけることでカセット３５に収納されている紙幣を取り出すことができる。
なお、上述の構成に代えて、カセット３５の上端部に手前側が開放するようにカセット扉３５２を取り付け、これを開けて紙幣を取り出せるようにしてもよい。
【００３９】
また、カセット３５ごと回収する場合には、図１０に示すように、扉３２を開けて、カセット３５を抜き取るようにしてカセット３５ごと取り出し、取り出したカセットに代えて新しい空のカセット３５をセットする。
【００４０】
このように、カセット３５を紙幣処理装置３４よりも手前側に配置することにより、カセット３５が扉３２と共に手前に移動することにより、カセット３５の取り出しが容易となり、回収作業を効率的に行うことができる。また、カセット３５を扉３２に装着した状態で直接紙幣を抜き取るときも、カセット３５が手前に移動するため簡単に紙幣を抜き取ることができる。
【００４１】
なお、カセット扉３５２は前後に開閉するものだけでなく、引き手式に開閉するものであってもよい。また、カセット扉３５２の取り付け位置は、前面に取り付けなくとも側面や、上面などに扉３２をつけてもよく扉３２の対応する位置であれば任意である。
また、紙幣処理装置３の扉３２は、前面に取り付けなくとも側面や、上面などに扉３２をつけてもよく任意である。
【００４２】
また、カセット扉３５２に電子錠装置を取り付けて、扉３２の電子錠装置の施錠開錠に連動するようにしてもよい。
【００４３】
次に、本発明に係る別の紙幣処理装置に例について図１１以下を参照して説明する。なお、上述の構成と同じ構成については同一の符号を付して説明を省略する。
図１１以下に示した例は、カセットの上部に開口を設け、カセットを本体に取り付けた状態で、当該カセットの開口から紙幣を取り出せるようにした例である。
図１１、図１２において、紙幣処理装置３は、一端部に開口を有する中空形状の本体３１と、この本体１の開口に対して開閉可能に取り付けられた扉３２からなる筐体から構成されている。扉３２には、図示しない紙幣識別装置３４が配置されており、これら紙幣識別装置３４などの構成は前述の図１に示した例と同様である。なお、３６は状態表示ランプであって、入金可能な状態の時に点灯したり、また扉３２を開錠した時に点滅するなどしてその処理状態をあらわすためのランプである。
【００４４】
また、本体３１側には、紙幣識別装置３４から搬送された紙幣が収納されるカセット４０が、ラッチ用の係止部５０により係止され、本体３１に対して着脱可能に取り付けられている。
紙幣処理装置３から取り出したカセット４０の一例を図１３に示す。図１３に示すように、カセット４０は、中空箱状のカセット本体４０１と、板バネ等からなる保持板３５６などから構成されている。
【００４５】
カセット本体４０１は、中空箱状になっており前面（カセット４０が筐体３に取り付けられた際に正面となる面）が開放されて開口となっている。このカセット本体４０１の開口には、両側の一端から開口部中心に向けて突出した爪部４０２ａ，４０２ｂが形成されている。
また、カセット本体４０１の中空部には、前述の図１に示した例と同様、保持板３５６が図示しないバネ３５７によりカセット４０１の前面側に付勢されるようにして取り付けられている。そして、この付勢された保持板３５６と爪部４０２ａ、４０２ｂとの間で取り込まれた紙幣を挟持できるように構成されている。
【００４６】
また、カセット本体４０１の上端部には、上方に突出した環状の係止部４０３が形成されている。この係止部４０３は、その環状部が本体３１の背面内部の上部に取り付けられたバネなどの係止部５０と係合することにより、カセット本体４０１を本体３１内に取り付けられるようになっている。そして、カセット４０が前方へ引っ張られることにより、係止部５０が係止部４０３の環状部から外れて係止が解除され、カセット４０を本体３１から取り外すことが出来るようになっている。
【００４７】
次に、上述のカセット３５内に収納された紙幣を取り出す際の使い方について図面を参照して説明する。
最初に処理した紙幣をカセットごと取り出す場合について説明する。まず、扉３２の前面に設けられた鍵穴に所定の鍵を挿入して所定の方向に回すことにより鍵を解放することで、扉３２がその自重で僅かに前方へ傾くようにして開く。
この状態で、扉３２の側面を押さえて手前に倒すことにより、図１２に示すように紙幣処理装置３内に配置された紙幣識別装置３４が扉３２と一緒に回動して手前に倒れ、これにより内部に紙幣が詰まった状態のカセット４０の上部が露出することとなる。
この状態で、図１４に示すように、カセット４０の上端部等を手前に引っ張ることにより、係止部５０が係止部４０３から外れる。これにより、図１５に示すようにカセット４０は係止を解放されて、紙幣識別装置４０内から取り出すことができるようになる。
【００４８】
なお、取り出したカセット４０を再度セットする場合、空になったカセット４０を本体３１内に戻し、係止部４０３を本体３１側の係止部５０に係止させてカセットを本体３１に取り付ける。そして、扉３２を本体３１側へ回動させて閉めて施錠をすることで、再度紙幣識別装置３のセッティングが完了する。
【００４９】
次に、カセット４０を本体３１内に取り付けたままの状態でカセット４０内の紙幣のみを抜き取る場合について説明する。
まず、前述の場合と同様に、扉３２の前面に設けられた鍵穴に所定の鍵を挿入して所定の方向に回すことにより施錠された鍵が解放され、扉３２がその自重で僅かに前方へ傾くようにして開く。
この状態で、扉３２の側面を押さえて手前に倒すことにより、図１２に示すように紙幣処理装置３内に配置された紙幣識別装置３４が扉３２と一緒に回動して手前に倒れ、これにより内部に紙幣が詰まった状態のカセット４０の上部が露出することとなる。
この状態で、図１６に示すように、カセット４０の開口部４０ａ上部が露出することから、この開口部４０ａからカセット４０内部の紙幣Ｍだけを抜き取る。
抜き取りが完了した時点で、扉３２を本体３１側へ回動させて閉め、施錠をすることで紙幣だけの抜き取りが完了する。
【００５０】
このように、上述の別の例によれば、前述の図１に示した例と同様に、紙幣を回収する際にカセット４０自体を取り出さなくとも、その場で紙幣の回収を行うことができるし、また、カセット４０自体は着脱可能であるため、カセット４０ごと本体３１から外して紙幣を回収することもできる。
これにより、例えば、遊技場の営業時間中には、カセット４０ごと紙幣を回収することで紙幣を外部に曝さないようにして回収できるし、また店舗の営業終了後に回収する場合にはその場で紙幣を直接回収することができるため、カセット４０を外してまた取り付けるなどの手間を省くことができ、状況に応じて効率よく紙幣の回収を行うことができる。
さらに、カセット扉も無いことから、これを開ける手間を省くことができ、より簡単かつ効率的に紙幣を回収することが出来る。
【００５１】
なお、上述の例では、開口部４０ａをカセット４０の前面全体を開口部とした例について説明したが、本発明はこれに限らず、例えば、カセット４０の前面上部の一部だけを開口とするなど、少なくとも一部に紙幣を出し入れするための開口を設けるようにしてもよい。これにより、一端部に設けられた開口部４０ａから収納されている紙幣の一部だけが見えるようになり、カセット４０を取り替えるときに紙幣全体が外部に曝されることがなくなり、店舗の営業中などであっても安全に紙幣を回収することができるし、遊技台個別に紙幣処理装置３が配置されている場合でも、顧客に対して不快感を与えることもなく紙幣を回収することができる。
【００５２】
なお、上述の各例では、物理的な鍵装置３２１を用いて扉３２を施錠、開錠する例について説明したが、本発明はこれに限定されるものではない。
この鍵３２１を電気的な信号により施錠、開錠を行う電子錠装置としてもよい。
これにより、鍵穴をなくすことができピッキング対策とすることができる。
また、電子錠装置を用いることにより、店舗内に複数の紙幣処理装置３が配置されている場合には、一斉に複数台の紙幣処理装置３の扉３２を開錠することができ、より効率的に紙幣の回収作業を行うことができる。
【００５３】
また、上述の各例において、紙幣処理装置３を取り付ける場所は特に限定されるものではなく、遊技台１の上部であってもよいし、サンド２の上端部であってもよく任意である。
【００５４】
上述の実施形態は、本発明の一例を示したものであって、本発明の要旨を逸脱しない範囲で種々の変更が可能である。
【図面の簡単な説明】
【００５５】
【図１】本発明にかかる紙幣処理装置及び紙幣処理装置用カセットを遊技場システムに適用した実施形態の一例を示した全体構成図。
【図２】本実施形態にかかる紙幣処理装置を示した正面斜視図。
【図３】本実施形態にかかる紙幣処理装置の動きを示した側部断面図。
【図４】本実施形態にかかるカセットを示した正面斜視図。
【図５】本実施形態にかかるカセットの側部Ａ−Ａ’断面図。
【図６】本実施形態にかかる紙幣処理装置の扉を開いた状態を示した正面図。
【図７】本実施形態にかかるカセットを紙幣処理装置に装着した状態で紙幣を回収する様子を示した側部断面図。
【図８】本実施形態にかかるカセットを紙幣処理装置から取り外して紙幣を回収する様子を示した側部断面図。
【図９】別の実施形態にかかるカセットを紙幣処理装置に装着した状態で紙幣を回収する様子を示した側部断面図。
【図１０】別の実施形態にかかるカセットを紙幣処理装置から取り外して紙幣を回収する様子を示した側部断面図。
【図１１】本発明に係るさらに別の例にかかる紙幣処理装置の斜視図。
【図１２】さらに別の例にかかる紙幣処理装置の扉を開けた状態を示した斜視図。
【図１３】さらに別の例にかかるカセットの斜視図。
【図１４】さらに別の例にかかる紙幣処理装置内からカセットを取り外して紙幣を回収する様子を示した斜視図。
【図１５】さらに別の例にかかる紙幣処理装置内からカセットを取り外して紙幣を回収する様子を示した別の斜視図。
【図１６】さらに別の例にかかる紙幣処理装置内にカセットを装着した状態で紙幣を回収する様子を示した斜視図。
【符号の説明】
【００５６】
１      遊技装置
２      サンド
３      紙幣処理装置
３１    本体
３２    扉
３３    搬送装置
３４    紙幣判別装置
３５    カセット
３５１  カセット本体
３５２  カセット扉
【図１】
2004171545.tif 000003
【図２】
2004171545.tif 000004
【図３】
2004171545.tif 000005
【図４】
2004171545.tif 000006
【図５】
2004171545.tif 000007
【図６】
2004171545.tif 000008
【図７】
2004171545.tif 000009
【図８】
2004171545.tif 000010
【図９】
2004171545.tif 000011
【図１０】
2004171545.tif 000012
【図１１】
2004171545.tif 000013
【図１２】
2004171545.tif 000014
【図１３】
2004171545.tif 000015
【図１４】
2004171545.tif 000016
【図１５】
2004171545.tif 000017
【図１６】
2004171545.tif 000018